(57)【要約】【課題】筆記者が硬筆習字に際して，胴軸の適正な筆記角度を修得するのに有効なペンを提供する。【解決手段】胴軸１０の先端部に筆記角度規制部材１３を取り付け，この筆記角度規制部材１３には，ペン先１２を囲繞していて，紙面Ｓへの筆記中，胴軸１０が規定の筆記角度を逸脱して傾いたとき，前記紙面Ｓに当接する規制部１５を設けた。【選択図】      図２
2009126047.tif 000002
【特許請求の範囲】
【請求項１】
胴軸（１０）の先端部に筆記角度規制部材（１３）を取り付け，この筆記角度規制部材（１３）には，ペン先（１２）を囲繞していて，紙面（Ｓ）への筆記中，胴軸（１０）が規定の筆記角度を逸脱して傾いたとき，前記紙面（Ｓ）に当接する規制部（１５）を設けたことを特徴とするペン。
【請求項２】
胴軸（１０）の先端部に筆記角度規制部材（２３）を取り付け，この筆記角度規制部材（２３）には，ペン先（１２）を囲繞していて，紙面（Ｓ）への筆記中，胴軸（１０）が規定の筆記角度にある限り下端部全周を紙面（Ｓ）に摺動自在に接する規制部（２８）を設けたことを特徴とするペン。
【請求項３】
請求項２記載のペンにおいて，
前記筆記角度規制部材（２３）に，前記紙面（Ｓ）に対するペン先（１２）の筆圧が規定値を超えると弾性変形する弾性変形部（２７）と，この弾性変形部（２７）が変形すると，前記紙面（Ｓ）に接して摩擦抵抗を発生させる筆記抵抗部（２６）とを設けたことを特徴とするペン。
【請求項４】
ボールのペン先（１２）を保持するペン先ホルダ（１１）に，紙面（Ｓ）への筆記中，胴軸（１０）が規定の筆記角度を逸脱して傾いたとき，前記紙面（Ｓ）に当接する規制部（１１ａ）を設けたことを特徴とするボールペン。
【発明の詳細な説明】
【技術分野】
【０００１】
本発明は，ボールペンや万年筆等のペンに関し，特に筆記者が硬筆習字に際して胴軸の正しい姿勢，即ち筆記角度を修得するのに有効なペンに関する。
【背景技術】
【０００２】
本発明者は，筆記者が硬筆習字に際して胴軸の正しい把持の仕方を修得するためのペンを，下記特許文献１に開示されるように既に提案している。ところで，硬筆習字の上達には，筆記時，常に胴軸の適正な筆記角度を保持することも重要な要素であるが，これまでのペンには，胴軸の適正な筆記角度を教習，修得させる配慮がなされていない。
【特許文献１】特開平２００７−１９０８４３号公報
【発明の開示】
【発明が解決しようとする課題】
【０００３】
本発明は，かゝる事情に鑑みてなされたもので，筆記者が硬筆習字に際して，胴軸の適正な筆記角度を修得するのに有効なペンを提供することを目的とする。
【課題を解決するための手段】
【０００４】
上記目的を達成するために，本発明は，胴軸の先端部に筆記角度規制部材を取り付け，この筆記角度規制部材には，ペン先を囲繞していて，紙面への筆記中，胴軸が規定の筆記角度を逸脱して傾いたとき，前記紙面に当接する規制部を設けたことを第１の特徴とする。尚，前記胴軸の先端部とは，胴軸の先端から突出してペン先を保持するペン先ホルダをも含むものとする。
【０００５】
また本発明は，胴軸の先端部に筆記角度規制部材を取り付け，この筆記角度規制部材には，ペン先を囲繞していて，紙面への筆記中，胴軸が規定の筆記角度にある限り下端部全周を紙面に摺動自在に接する規制部を設けたことを第２の特徴とする。
【０００６】
さらに本発明は，第２の特徴に加えて，前記筆記角度規制部材に，前記紙面に対するペン先の筆圧が規定値を超えると弾性変形する弾性変形部と，この弾性変形部が変形すると，前記紙面に接して摩擦抵抗を発生させる筆記抵抗部とを設けたことを第３の特徴とする。
【０００７】
さらにまた本発明は，ボールペンにおいて，ボールのペン先を保持するペン先ホルダに，紙面への筆記中，胴軸が規定の筆記角度を逸脱して傾いたとき，前記紙面に当接する規制部を設けたことを第４の特徴とする。
【発明の効果】
【０００８】
本発明の第１の特徴によれば，本発明のペンによる筆記中，筆記角度規制部材の規制部が紙面に接触しないようにすることで，筆記者は，胴軸の適正な筆記角度を早期に修得することができる。即ち，胴軸が規定の筆記角度からずれると，規制部が紙面に当接するため，その反作用によりペン先の紙面に対する筆圧が低下し，筆跡に変化が生じるので，筆記者は，胴軸の筆記角度の不適性さを知ることができ，したがって胴軸の筆記角度の修正を直ちに行うことができ，これにより筆記者は胴軸の適正な筆記角度を早期に修得し，硬筆習字の上達が促進される。
【０００９】
本発明の第２の特徴によれば，本発明のペンによる筆記中，筆記角度規制部材の規制部を紙面との接触状態に保持することで，筆記者は，胴軸の適正な筆記角度を早期に修得し，硬筆習字の上達が促進される。
【００１０】
本発明の第３の特徴によれば，本発明のペンによる筆記中，胴軸が規定の角度から逸脱すると，規制部の一部に荷重が集中するため，その部分に近い弾性変形部の弾性変形により筆記抵抗部の一部が紙面に接して，摩擦抵抗を発生し，ペンの動きを阻害することになり，これにより筆記者は，胴軸の筆記角度の不適性さを知ることになるから，直ちにその筆記角度を修正することができる。また筆記中，ペン先の紙面に対する筆圧が規定値を超えると，弾性変形部が撓んで筆記抵抗部の下端面全体が紙面に接して，大きな摩擦抵抗を発生させ，ペンの動きを大きく阻害することになり，これにより筆記者は，筆圧過剰をを知ることになるから，直ちにその筆圧を低下修正することができる。このように，１個の筆記角度規制部材により，適正な筆記角度と筆圧とを筆記者に習得させることができ，硬筆習字の更なる上達に寄与し得る。
【００１１】
本発明の第４の特徴によれば，ボールペンによる筆記時，ペン先ホルダにされた規制部が紙面に接触しないようにすることで，筆記者は，胴軸の適正な筆記角度を早期に修得することができ，ボールペン習字の上達が促進される。
【発明を実施するための最良の形態】
【００１２】
本発明の実施の形態を，添付図面に示す本発明の好適な実施例に基づいて以下に説明する。
【００１３】
図１は本発明の第１実施例に係るボールペンを使用状態を示す正面図，図２は図１の２矢視図拡大図，図３は本発明の第２実施例を示す，図２との対応図，図４は本発明の第３実施例を示す，図２との対応図である。
【００１４】
先ず，図１及び図２に示す本発明の第１実施例の説明より始める。ボールペンＰは，胴軸１０と，この胴軸１０の前端部のテーパ状首部１０ａの先端から突出するペン先ホルダ１１と，このペン先ホルダ１１の先端に回転自在に保持されるペン先１２としてのボールとを備えており，前記ペン先ホルダ１１は，胴軸１０に着脱可能なレフィルの一部を構成している。
【００１５】
前記胴軸１０の首部１０ａからペン先ホルダ１１に亙り筆記角度規制部材１３が取り付けられる。この筆記角度規制部材１３は，首部１０ａ及びペン先ホルダ１１に嵌合して固定される取り付け筒部１４と，この取り付け筒部１４の下端に一体に連設されてペン先１２を囲繞するフランジ状の規制部１５とよりなっており，その規制部１５は，筆記者Ｍが紙面Ｓに筆記するとき，筆記者Ｍが把持する胴軸１０が規定の筆記角度の範囲にある限りは，ペン先１２の紙面Ｓへの当接を可能にすべく，紙面Ｓに対して所定間隙１６を保つように形成されている。
【００１６】
胴軸１０の前記規定の筆記角度は，硬筆習字に適した胴軸１０の姿勢を示す角度で，図１に示すように，紙面Ｓとペン先１２を通り且つ筆記者Ｍの前後方向中心線１７と平行な，紙面Ｓに対する垂直面１８と，胴軸１０の軸線とを含む，紙面Ｓに対する垂直面１９とのなす第１角度αと，図２に示すように，紙面Ｓと胴軸１０の軸線とのなす第２角度βとで表すことができる。一般には第１角度αは４５°±３°，第２角度βは６０°±３°がそれぞれ適正角度とされている。
【００１７】
また前記所定間隙１６は，筆記中，胴軸１０が適正な前記第１角度α及び第２角度βより逸脱して傾いたとき，フランジ状の規制部１５を紙面Ｓに当接させるように設定される。
【００１８】
上記筆記角度規制部材１３は，その外方からペン先１２を透視し得るように，透明の合成樹脂を素材として成形される。
【００１９】
次に，この実施例の作用について説明する。
【００２０】
本発明のボールペンＰを使用して硬筆習字を行う際には，先ず，筆記者Ｍは，胴軸１０を把持してペン先１２を紙面Ｓに下ろしたとき，筆記角度規制部材１３のフランジ状の規制部１５の下面全体が紙面Ｓに接触しないように，胴軸１０の握り状態や手首の角度を調整する。こうすれば，胴軸１０の筆記角度を表す第１及び第２角度α，βはそれぞれ適正に保持されることになる。そして，この筆記角度を保持しつゝ筆記を行うのであるが，筆記中，胴軸１０の第１及び第２角度α，βの何れか一方でも，規定の角度から逸脱すると，前記規制部１５が紙面Ｓに当接するため，その反作用によりペン先１２の筆圧が低下し，筆跡に変化が生じるので，筆記者Ｍは，胴軸１０の筆記角度が適正でないことを知ることになる。そこで筆記者Ｍは，規制部１５の，紙面Ｓに当接した部分を紙面Ｓから離すように胴軸１０の筆記角度を適正に調整すればよい。こうして，習字を続けることにより，筆記者Ｍは，胴軸１０の適正な筆記角度を早期に修得することができ，硬筆習字の上達が促進される。
【００２１】
次に，図３に示す本発明の第２実施例について詳細に説明する。
【００２２】
この第２実施例では，筆記角度規制部材２３は，ボールペンＰの胴軸１０の首部１０ａからペン先ホルダ１１に亙り嵌合，固定される取り付け筒部２４と，この取り付け筒部２４の下端部から半径方向外方に広がる支持部２５と，この支持部２５の外周端から下方に突出してペン先１２を囲繞すると共に紙面Ｓに対向し得る円錐台状の筆記抵抗部２６と，この筆記抵抗部２６の外周面から薄肉の弾性変形部２７を介して一体に連結され，筆記抵抗部２６の下端より下方に一定量突出する環状の規制部２８とで構成され，この場合の筆記角度規制部材２３も透明な合成樹脂製とされる。規制部２８は，ボールペンＰによる紙面Ｓへの筆記時，胴軸１０が，第１実施例において述べたような適正な第１及び第２角度α，βに保たれると，ペン先１２と共に紙面Ｓに接触するようになっており，その接触する端部２８ａは，紙面Ｓとの滑りをスムーズにすべく玉縁状に形成される。
【００２３】
筆記抵抗部２６は，規制部２８の玉縁状端部２８ａがペン先１２と共に紙面Ｓに接した状態において，紙面Ｓとの間に所定の間隙２９ができるように形成され，また弾性変形部２７には，ペン先１２の筆圧，換言すれば規制部２８の紙面Ｓに対する筆圧が規定値を超えると，筆記抵抗部２６を紙面Ｓに接触させるべく弾性変形し得る弾性が付与される。
【００２４】
筆記抵抗部２６の下端面は，紙面Ｓに接したとき，紙面Ｓに対し滑り難くなるように，粗面に形成される。
【００２５】
その他の構成は，前実施例と同様であるので，図３中，前実施例との対応部分には同一の参照符号を付して，重複する説明を省略する。
【００２６】
この第２実施例によれば，ボールペンＰを使用しての硬筆習字中，ペン先１２と共に規制部２８の玉縁状端部２８ａを紙面Ｓに当てた状態を保つことにより，筆記者Ｍは，胴軸１０の適正な筆記角度をもって筆記することができ，胴軸１０の適正な筆記角度を早期に修得することができる。
【００２７】
また筆記中，胴軸１０の第１及び第２角度α，βの何れか一方でも，規定の角度から逸脱すると，規制部２８の玉縁状端部２８ａの一部に荷重が集中するため，その部分に近い弾性変形部２７の撓みにより筆記抵抗部２６の一部が紙面Ｓに接して，摩擦抵抗を発生し，ボールペンＰの動きを阻害することになる。これにより筆記者Ｍは，胴軸１０の筆記角度の不適性さを知ることになるから，直ちにその筆記角度を修正することができる。
【００２８】
さらに筆記中，ペン先１２の紙面Ｓに対する筆圧が規定値を超えると，弾性変形部２７が全体的に撓んで筆記抵抗部２６の下端面全体が紙面Ｓに接して，大きな摩擦抵抗を発生し，ボールペンＰの動きを大きく阻害することになる。これにより筆記者Ｍは，筆圧過剰を知ることになるから，直ちにその筆圧を低下修正することができる。
【００２９】
最後に，図４に示す本発明の第３実施例について説明する。
【００３０】
この第３実施例は，特に，ボールペンＰにおいて，ボールのペン先１２を保持するペン先ホルダ１１の先端部に，紙面Ｓへの筆記中，胴軸１０が規定の筆記角度を逸脱して傾いたとき，紙面に当接する筒状の規制部１１ａを延長して一体に形成したものである。即ち，規制部２８は，筆記中，ボールペンＰの胴軸１０が，前記第１実施例において述べたような適正な第１及び第２角度α，βに保たれていれば，紙面Ｓとの間に所定間隙１６を保っているが，胴軸１０が上記の適正な第１及び第２角度α，β逸脱して傾くと，規制部１１ａが紙面Ｓに当接するようになっている。したがって，筆記時，上記規制部１１ａの紙面Ｓへの当接によれば，前記第１実施例と同様に，筆跡に変化が生じることで，筆記者Ｍは，胴軸１０の筆記角度が適正でないことを知り，即座に胴軸１０の筆記角度を適正に調整することになるから，胴軸１０の適正な筆記角度を早期に修得することができ，ボールペン習字の上達が促進される。また規制部１１ａをペン先ホルダ１１に一体に形成したことで，ボールペンＰの部品点数の増加を招くこともない。
【００３１】
尚，図４中，前記第１実施例と対応する部分には，同一の参照符号を付して，重複する説明を省略する。
【００３２】
以上，本発明の実施例について説明したが，本発明はそれに限定されることなく，その要旨を逸脱しない範囲で種々の設計変更が可能である。例えば本発明の第１及び第２実施例の筆記角度規制部材２３は万年筆にも適用可能である。
【図面の簡単な説明】
【００３３】
【図１】本発明の第１実施例に係るボールペンを使用状態を示す正面図。
【図２】図１の２矢視図拡大図。
【図３】本発明の第２実施例を示す，図２との対応図。
【図４】本発明の第３実施例を示す，図２との対応図。
【符号の説明】
【００３４】
Ｐ・・・・・ペン（ボーペン）
Ｓ・・・・・紙面
１０・・・・胴軸
１１・・・・ペン先ホルダ
１１ａ・・・規制部
１２・・・・ペン先
１３・・・・筆記角度規制部材
１５・・・・規制部
２３・・・・筆記角度規制部材
２６・・・・筆記抵抗部
２７・・・・弾性変形部
２８・・・・規制部
【図１】
2009126047.tif 000003
【図２】
2009126047.tif 000004
【図３】
2009126047.tif 000005
【図４】
2009126047.tif 000006